(57)【特許請求の範囲】
【請求項１】
吊り引き戸の移動経路端部の上側に配設されるブレーキ装置であって、基盤と、この基盤の下側に引き戸移動方向の一定範囲内で移動可能に支持された制動体と、この制動体を引き戸移動経路の端部側へ付勢するスプリングと、このスプリングの付勢力による前記制動体の前進移動を制限するストッパーと、このストッパーの位置を引き戸移動方向前後に調整する調整手段と、前記制動体を前進移動に伴って平行下降させるとともに後退移動に伴って平行上昇させるガイド手段と、前記制動体の下側制動面に摺接するように引き戸側に設けられた被制動部とを備えている、吊り引き戸用ブレーキ装置。
【請求項２】
吊り引き戸は、吊り下げ用ローラーユニットを介してガイドレールに移動可能に吊り下げられるもので、当該ガイドレールは、引き戸の吊り下げ用ローラーユニット全体が内嵌する断面門形のもので、その両側壁下端から内側に前記ローラーユニットの左右両側の水平軸ローラーを支持する水平レール部を備えるとともに、両側壁上端間をつなぐ上壁部に、前記基盤の両側辺に形成された被係合部がレール長さ方向移動可能に係合する、レール長さ方向に連続した左右一対の係合片を備え、
前記基盤は、当該基盤の両端近傍にあって前記ガイドレール側の左右一対の係合片の上側に位置する前後２つの板ナットと、前記基盤を上向きに貫通し且つ前記板ナットに螺合する前後２本の締結用ビスとによって、前記ガイドレールに固定される、請求項１に記載の吊り引き戸用ブレーキ装置。
【請求項３】
前記ガイド手段は、前記基盤の下側に形成された引き戸移動方向の鋸刃状カム面と、この鋸刃状カム面に当接するように前記制動体の上側に形成された鋸刃状カム従動面とにより、前記制動体を前進移動に伴って平行下降させ、前記制動体の引き戸移動方向の前後２箇所と前記基盤の引き戸移動方向の前後２箇所とに設けられて互いに係合するカム溝とピンとにより、前記制動体を後退移動に伴って平行上昇させる、請求項１または２に記載の吊り引き戸用ブレーキ装置。
【請求項４】
前記調整手段は、前記基盤に引き戸移動方向に設けられた長孔と、この長孔を上向きに貫通する締結用ビスとにより、前記ストッパーを基盤に引き戸移動方向前後に位置調整可能に固定する、請求項１〜３の何れかに記載の吊り引き戸用ブレーキ装置。
【請求項５】
前記調整手段は、前記基盤に引き戸移動方向と平行に支承された螺軸と、この螺軸に螺嵌する雌ねじ体とを備え、この螺軸と雌ねじ体の一方は、前記基盤に自転のみ可能に支承されるとともに正逆回転操作可能に構成され、前記螺軸と雌ねじ体の他方が引き戸移動方向に移動可能な前記ストッパーに連結されている、請求項１〜３の何れかに記載の吊り引き戸用ブレーキ装置。
【請求項６】
前記調整手段は、前記基盤に自転のみ可能に支承された回転操作具と、この回転操作具に設けられた偏心カムと、引き戸移動方向前後に移動可能な前記ストッパーに連設され且つ前記偏心カムと係合するカム溝とから成り、前記偏心カムの偏心回転に伴って前記ストッパーが引き戸移動方向に移動するようにした、請求項１〜３の何れかに記載の吊り引き戸用ブレーキ装置。
【請求項７】
前記引き戸側の被制動部は、引き戸の吊り下げ用ローラーユニットにおけるトロリー本体の引き戸移動方向両端近傍位置に設けられた被嵌合凹部に嵌合可能な嵌合用突部を両端に備えた合成樹脂製帯状体から成る、請求項１〜６の何れかに記載の吊り引き戸用ブレーキ装置。
【発明の詳細な説明】
【０００１】
【発明の属する技術分野】
本発明は、吊り引き戸の移動経路端部の上側に配設されて、引き戸が移動経路の端部に達したときに当該引き戸を自動的に制動するブレーキ装置に関するものである。
【０００２】
【従来の技術及びその問題点】
この種のブレーキ装置として、引き戸本体から上向きに突設されたピンを挟み込んで制動する左右一対の弾性制動片をガイドレール内に設けたものが知られているが、このような従来のブレーキ装置では、引き戸に対する制動距離が短くて引き戸を滑らかに制動することができないばかりでなく、ユーザー側の好みに応じて制動力を微妙に調整することもできず、さらに、弾性制動片の材質の劣化や塑性変形により制動力が弱まっても、制動力を元に戻すような調整もできるものではなかった。また、最大の欠点は、引き戸を制動停止位置から逆向きに移動させるとき（例えば開動させるとき）も、引き戸の正向き移動時に引き戸に作用する負荷（制動力）と略同一の負荷が引き戸に作用するため、引き戸の逆向き移動を軽く行うことができない点にあった。
【０００３】
【課題を解決するための手段】
本発明は上記のような従来の問題点を解消し得る吊り引き戸のブレーキ装置を提供することを目的とするものであって、その手段を後述する実施形態の参照符号を付して示すと、吊り引き戸１の移動経路端部の上側に配設されるブレーキ装置であって、基盤８と、この基盤８の下側に引き戸移動方向の一定範囲内で移動可能に支持された制動体９と、この制動体９を引き戸移動経路の端部側へ付勢するスプリング１０と、このスプリング１０の付勢力による前記制動体９の前進移動を制限するストッパー１１と、このストッパー１１の位置を引き戸移動方向前後に調整する調整手段１２と、前記制動体９を前進移動に伴って平行下降させるとともに後退移動に伴って平行上昇させるガイド手段１３と、前記制動体９の下側制動面９ｅに摺接するように引き戸１側に設けられた被制動部１４とを備えた構成となっている。
【０００４】
なお、前記吊り引き戸１は、一般的に、吊り下げ用ローラーユニット２を介してガイドレール３に移動可能に吊り下げられるものであって、当該ガイドレール３は、吊り下げ用ローラーユニット２の全体が内嵌する断面門形のもので、その両側壁下端から内側に前記ローラーユニット２の左右両側の水平軸ローラー４を支持する水平レール部５ａ，５ｂを備えているが、両側壁上端間をつなぐ上壁部６に、前記基盤８の両側辺に形成された被係合部１５ａ，１５ｂがレール長さ方向移動可能に係合する、レール長さ方向に連続した左右一対の係合片７ａ，７ｂを設け、前記基盤８は、当該基盤８の両端近傍にあって前記ガイドレール３側の左右一対の係合片７ａ，７ｂの上側に位置する前後２つの板ナット１８と、前記基盤８を上向きに貫通し且つ前記板ナット１８に螺合する前後２本の締結用ビス２０とによって、前記ガイドレール３に固定することができる。
【０００５】
また、前記ガイド手段１３は、前記基盤８の下側に形成された引き戸移動方向の鋸刃状カム面２１と、この鋸刃状カム面２１に当接するように前記制動体９の上側に形成された鋸刃状カム従動面２２とにより、前記制動体９を前進移動に伴って平行下降させ、前記制動体９の引き戸移動方向の前後２箇所と前記基盤８の引き戸移動方向の前後２箇所とに設けられて互いに係合するカム溝２４とピン２３とにより、前記制動体９を後退移動に伴って平行上昇させるように構成することができる。
【０００６】
前記調整手段１２は、前記基盤８に引き戸移動方向に設けられた長孔２６と、この長孔２６を上向きに貫通する締結用ビス２７とにより、前記ストッパー１１を基盤８に引き戸移動方向前後に位置調整可能に固定する構成とすることができる。
【０００７】
また、ねじ式調整手段４０を使用することもできる。このねじ式調整手段４０は、前記基盤８に引き戸移動方向と平行に支承された螺軸４１と、この螺軸４１に螺嵌する雌ねじ体４２とを備えたもので、この螺軸４１と雌ねじ体４２との内の一方は、前記基盤８に自転のみ可能に支承されるとともに正逆回転操作可能に構成され、前記螺軸４１と雌ねじ体４２との内の他方が引き戸移動方向に移動可能な前記ストッパー１１に連結されたものとすることができる。
【０００８】
さらに、カム式調整手段５０を使用することもできる。このカム式調整手段５０は、前記基盤８に自転のみ可能に支承された回転操作具５１と、この回転操作具５１に設けられた偏心カム５２と、引き戸移動方向に移動可能な前記ストッパー１１に連設され且つ前記偏心カム５２と係合するカム溝５３とから成るもので、前記偏心カム５２の偏心回転に伴って前記ストッパー１１が引き戸移動方向に移動するように構成することができる。
【０００９】
前記引き戸１側の被制動部１４は、引き戸１の吊り下げ用ローラーユニット２におけるトロリー本体２９の引き戸移動方向両端近傍位置に設けられた被嵌合凹部３０ａ，３０ｂに嵌合可能な嵌合用突部３１ａ，３１ｂを両端に備えた合成樹脂製帯状体３２から構成することができる。
【００１０】
【発明の実施の形態】
以下に本発明の好適実施形態を添付図に基づいて説明すると、図１及び図２において、１は吊り引き戸であって、その上端の前後２箇所に吊り下げ用ローラーユニット２を備えている。３は引き戸１を移動可能に吊り下げるガイドレールであって、その引き戸移動経路の端部（引き戸の閉動方向側の端部、または開動方向側の端部、若しくは両端に本発明のブレーキ装置が設けられている。
【００１１】
ガイドレール３は、図３にも示すように断面が門形のもので、吊り下げ用ローラーユニット２の全体が内嵌する断面門形のもので、その両側壁下端から内側に前記ローラーユニット２の左右両側の水平軸ローラー４を支持する水平レール部５ａ，５ｂを備えるとともに、両側壁上端間をつなぐ上壁部６に、レール長さ方向に連続した左右一対の係合片７ａ，７ｂを備えている。
【００１２】
以下、本発明のブレーキ装置が引き戸閉動方向側の端部に設けられているものとして説明すると、当該ブレーキ装置は、図１及び図２に示すように、前記ガイドレール３の端部に固定される基盤８と、この基盤８の下側に引き戸移動方向の一定範囲内で移動可能に支持された制動体９と、この制動体９を引き戸閉動方向に付勢するスプリング１０と、前記制動体９の引き戸閉動方向への前進移動を制限するストッパー１１と、このストッパー１１の位置を引き戸移動方向に調整する調整手段１２と、前記制動体９を引き戸閉動方向への移動に伴って平行下降させるとともに引き戸開動方向への移動に伴って平行上昇させるガイド手段１３と、前記制動体９の下側面に摺接するように引き戸１側に設けられた被制動部１４とを備えている。
【００１３】
基盤８は、図１０及び図１１に示すように帯状のもので、図３に示すように、その左右両側辺の上側角部には、前記ガイドレール３の左右一対の係合片７ａ，７ｂの内側に嵌合する被係合部１５ａ，１５ｂが突設され、当該被係合部１５ａ，１５ｂと係合片７ａ，７ｂとにより、ガイドレール３に対しその長さ方向移動可能に係合している。そして、図１０及び図１１に示すように基盤８の両端近傍位置には、前記被係合部１５ａ，１５ｂを含めて切除された凹部１６が形成されており、この凹部１６の左右両側に、図４にも示すように、前記ガイドレール３の左右一対の係合片７ａ，７ｂの下側に位置する左右一対の張出部１７ａ，１７ｂが突設され、各凹部１６に遊嵌する板ナット１８を、当該凹部１６の中央において基盤８に設けられた貫通孔１９を上向きに貫通する締結用ビス２０により締結することで、当該板ナット１８の左右両側辺と基盤８側の左右一対の張出部１７ａ，１７ｂとでガイドレール３側の左右一対の係合片７ａ，７ｂを挟持させ、基盤８をガイドレール３の端部所定位置に固定している。
【００１４】
前記制動体９は、基盤８の下側に形成された凹溝部８ａに引き戸移動方向に移動可能に一部遊嵌し、前記ガイド手段１３は、図１０及び図１１に示すように、前記基盤８の下側、即ち、凹溝部８ａの底面に形成された引き戸移動方向の鋸刃状カム面２１、この鋸刃状カム面２１に当接するように前記制動体９の上側に形成された鋸刃状カム従動面２２、前記制動体９の引き戸移動方向の前後両端近傍２箇所に左右水平方向に貫通させた２本のピン２３、及び当該各ピン２３の両端が遊嵌する（図５参照）ように基盤８の両側壁部８ｂ，８ｃに形成された、前記鋸刃状カム面２１（鋸刃状カム従動面２２）の傾斜面と平行に傾斜する左右一対のカム溝２４ａ，２４ｂから構成されている。
【００１５】
前記スプリング１０は、図６、図１０及び図１１に示すように、基盤８の凹溝部８ａの中程にさらに凹入するように形成された引き戸移動方向に長い凹入部８ｄの一端と、この凹入部８ｄに遊嵌するように制動体９から突設された突起部９ａとの間に介装されて、制動体９を引き戸閉動方向に付勢する。
【００１６】
ストッパー１１は、図７、図１０及び図１１に示すように、可動部材２５の一端下側に左右一対突設されたもので、制動体９の一端上側に形成された左右一対の凹溝部９ｂ，９ｃにそれぞれ遊嵌して、当該凹溝部９ｂ，９ｃの引き戸開動方向側の端部９ｄに当接するものであり、前記可動部材２５は、基盤８の凹溝部８ａの一端部と連通し且つ基盤８の上側に開放された凹溝部８ｅ内に引き戸移動方向に移動可能に嵌合している。
【００１７】
調整手段１２は、図８、図１０及び図１１に示すように、基盤８の凹溝部８ｅの底相当部に設けられた引き戸移動方向に長い長孔２６と、この長孔２６を上向きに貫通する締結用ビス２７と、この締結用ビス２７が螺合するように可動部材２５に設けられたねじ孔２８とから構成され、凹溝部８ｅの底面８ｆと可動部材２５の下側面２５ａとには、締結用ビス２７の締結により互いに噛み合って可動部材２５の滑りを防止する凹凸加工が施されている。
【００１８】
引き戸１側の被制動部１４は、図１、図２及び図９に示すように、吊り下げ用トロリーユニット２の水平軸ローラー４を軸支するトロリー本体２９の引き戸移動方向両端近傍位置に設けられた被嵌合凹部３０ａ，３０ｂに嵌合可能な嵌合用突部３１ａ，３１ｂを両端に備えた合成樹脂製の帯状体３２から構成されている。なお、この実施形態では、トロリー本体２９の引き戸移動方向の中央部上面にも左右方向の凹部３３が形成され、この凹部３３に嵌合する突部３４が前記帯状体３２の下側面に突設されている。また、前記被嵌合凹部３０ａ，３０ｂ及び凹部３３は、トロリー本体２９の左右巾方向に貫通しており、帯状体３２側の嵌合用突部３１ａ，３１ｂ，３４をトロリー本体２９の横から挿入し得るように構成している。しかして、トロリー本体２９は、引き戸１の上端から突出する吊り軸３５に、トロリー本体２９の中央（凹部３３の中央）に設けられた吊り軸支承孔３６を介して、当該吊り軸３５の周りに相対回転可能に装着され、引き戸１を吊り下げる。
【００１９】
ガイドレール３の端部に取り付けられたブレーキ装置の制動体９は、図１に示すように、スプリング１０の付勢力により引き戸閉動方向に付勢されているので、その端部の左右一対の凹溝部９ｂ，９ｃの引き戸開動方向側の端部９ｄにストッパー１１が当接する位置まで引き戸閉動方向に移動する。この引き戸閉動方向に移動する制動体９は、ガイド手段１３の鋸刃状カム面２１に対する鋸刃状カム従動面２２の当接摺接移動により、引き戸閉動方向に移動するのに伴って平行下降するので、前記のように制動体９の引き戸閉動方向への移動がストッパー１１で制止されるときの位置により、制動体９の下側面である制動面９ｅの高さが決まることになる。
【００２０】
従って、ガイドレール３に吊り下げ用ローラーユニット２を介して吊り下げられた引き戸１が閉動方向に移動して、その被制動部１４（トロリー本体２９上の帯状体３２）がブレーキ装置の制動体９の下側に進入したとき、当該制動体９の下側制動面９ｅと吊り下げ用ローラーユニット２の被制動部１４（トロリー本体２９上の帯状体３２）との間の摩擦力により、引き戸１に適当な制動がかかるように、制動体９の引き戸移動方向の位置を予め調整しておく。
【００２１】
即ち、引き戸１に対する制動力が弱くて、引き戸１が慣性で閉動限にある開口部枠などの戸当たりに勢い良く衝突してしまうようなときは、調整手段１２の締結用ビス２７を弛めた状態で、当該締結用ビス２７を利用するなどして可動部材２５を引き戸閉動方向側へ移動させ、スプリング１０の付勢力による制動体９の引き戸閉動方向への移動量を大きくし、以て、ガイド手段１３の鋸刃状カム面２１と鋸刃状カム従動面２２との摺接移動により制動体９を平行下降させて、制動体９の下側制動面９ｅの高さを低くし、引き戸１の被制動部１４（トロリー本体２９上の帯状体３２）が制動体９の下側に進入したときの当該制動体９の下側制動面９ｅと前記被制動部１４（トロリー本体２９上の帯状体３２）との間の摩擦力を増大させれば良い。可動部材２５（ストッパー１１）の位置調整後は、締結用ビス２７を締め付けて可動部材２５（ストッパー１１）の位置を固定しておく。
【００２２】
逆に、引き戸１に対する制動力が強くて、引き戸１を閉動限まで移動させることが困難な場合は、調整手段１２の締結用ビス２７を弛めた状態で、当該締結用ビス２７を利用するなどして可動部材２５を引き戸開動方向側へ移動させ、ストッパー１１を介して制動体９をスプリング１０の付勢力に抗して引き戸開動方向へ移動させる。この結果、ガイド手段１３の２本のピン２３と左右一対のカム溝２４ａ，２４ｂとの相対移動により制動体９が平行上昇移動して、制動体９の下側制動面９ｅの高さが高くなり、引き戸１の被制動部１４（トロリー本体２９上の帯状体３２）が制動体９の下側に進入したときの当該制動体９の下側制動面９ｅと前記被制動部１４（トロリー本体２９上の帯状体３２）との間の摩擦力が小さくなるので、適度な制動をかけながら引き戸１を閉動限位置まで移動させることができる。可動部材２５（ストッパー１１）の位置調整後は、締結用ビス２７を締め付けて可動部材２５（ストッパー１１）の位置を固定しておく。
【００２３】
図１に示すように、閉動限位置にある引き戸１を開動させたときは、引き戸１の被制動部１４（トロリー本体２９上の帯状体３２）とその上側の制動体９の下側制動面９ｅとの間の摩擦力により、制動体９が引き戸１とともに開動方向へ移動する。この制動体９の開動方向への移動は、スプリング１０の付勢力に抗して行われるが、その移動によるガイド手段１３の２本のピン２３と左右一対のカム溝２４ａ，２４ｂとの相対移動により制動体９が、その下側制動面９ｅが引き戸１の被制動部１４（トロリー本体２９上の帯状体３２）上から離れる直前の高さ、即ち、両者が軽く接触する状態まで、平行上昇移動し、係る状態のまま引き戸１が開動方向へ移動することになるので、引き戸１に係る抵抗は極僅かであり、軽く円滑に開動させることができる。
【００２４】
引き戸１の被制動部１４（トロリー本体２９上の帯状体３２）が制動体９の下側制動面９ｅから離脱すれば、制動体９はスプリング１０の付勢力でストッパー１１に制止される初期位置まで引き戸閉動方向に復帰移動するとともに、ガイド手段１３の鋸刃状カム面２１に対する鋸刃状カム従動面２２の当接摺接移動により初期高さまで自動的に平行下降することになる。
【００２５】
ストッパー１１の位置調整、即ち、制動体９の下側制動面９ｅの初期高さ調整のための調整手段１２は、上記実施形態のものに限定されない。例えば、ねじ式やカム式などが考えられる。図１２〜図１４は、ねじ式調整手段４０の一例を示している。このねじ式調整手段４０は、螺軸４１、傘歯車などの直角伝動用歯車を兼用する雌ねじ体４２、及び回転操作手段４３から成るもので、前記螺軸４１は、引き戸移動方向と平行で、その一端の角頭部４１ａが前記ストッパー１１を備えた可動部材２５に嵌合係止されるとともに、中間部が基盤８の凹溝部８ｅ内を分割する隔壁部４４を貫通し、遊端部が基盤８に設けられた軸受孔４５に遊嵌して、引き戸移動方向に前後移動可能に基盤８に支承されている。雌ねじ体４２は、前記軸受部４４に対し可動部材２５のある側とは反対側に位置して前記螺軸４１に螺嵌する。回転操作手段４３は、雌ねじ体４２の外周の歯車部と、この歯車部に咬合する状態で前記凹溝部８ｅの底部に垂直支軸により自転のみ可能に軸支された傘歯車などの直角伝動用歯車４６と、この歯車４６と同心状に連動連結され且つ当該歯車４６を基盤８の下側から正逆回転操作するための回転操作具４７とから構成されている。なお、直角伝動用歯車を兼用する雌ねじ体４２は、前記隔壁部４４と歯車４６との間に挟まれて、自転のみ可能な状態である。
【００２６】
上記構成のねじ式調整手段４０によれば、回転操作具４７をねじ回しなどにより正逆回転操作することにより、その回転が歯車４６から雌ねじ体４２に伝達され、当該雌ねじ体４２が正逆回転して螺軸４１を引き戸移動方向前後に移動させることになる。この螺軸４１の前後移動は、そのまま可動部材２５を介してストッパー１１に伝達され、先の実施形態において説明したように、制動体９の下側制動面９ｅの初期高さ調整のためのストッパー１１の前後位置調整が行われる。
【００２７】
なお、例えば前記雌ねじ体４２を螺軸４１に固定するなどして、当該螺軸４１を基盤８側に自転のみ可能に支承し、この螺軸４１を可動部材２５に設けられた引き戸移動方向と平行なねじ孔に螺合させることにより、螺軸４１を正逆回転操作して可動部材２５（ストッパー１１）を引き戸移動方向に押し引き移動させることもできる。
【００２８】
図１５〜１７は、カム式調整手段５０の一例を示している。このカム式調整手段５０は、前記基盤８の凹溝部８ｅの底部に自転のみ可能に支承され且つ操作部が基盤８の下側に露出する回転操作具５１と、この回転操作具５１に設けられた偏心カム５２と、引き戸移動方向前後に移動可能な前記可動部材２５（ストッパー１１）に設けられ且つ前記偏心カム５２と係合する左右方向のカム溝５３とから成るものである。このカム式調整手段５０によれば、回転操作具５１をねじ回しなどにより正逆回転操作することにより、偏心カム５２の偏心回転に伴って前記可動部材２５を引き戸移動方向に移動させて、制動体９の下側制動面９ｅの初期高さ調整のためのストッパー１１の前後位置調整を行うことができる。
【００２９】
【発明の効果】
以上のように実施し得る本発明の吊り引き戸のブレーキ装置によれば、吊り引き戸の被制動部が移動経路端部に配設された制動体の下側に進入したとき、当該制動体の下側制動面で前記被制動部を下向きに連続的に押圧して、引き戸を制動させることができるのであるが、このときの引き戸に対する制動力を、調整手段でストッパーの位置を引き戸移動方向前後に移動させて前記制動体の下側制動面の初期高さを変更することにより、自在に調整することができる。しかも、引き戸を制動停止位置から逆向きに移動させるときは、制動体の下側制動面と引き戸側の被制動部との間の摩擦力により制動体がスプリングに抗して後退移動せしめられ、この後退移動する制動体をガイド手段が平行上昇移動させるので、制動体の下側制動面と引き戸側の被制動部との間の摩擦抵抗が極減することになる。
【００３０】
換言すれば、前記制動体の長さを長くして引き戸に対する制動距離を十分長くし、以て、引き戸を滑らかに制動することができるとともに、ユーザー側の好みに応じて制動力を微妙に調整することができ、さらに、制動面の磨耗や材質の劣化などにより制動力が弱まっても、前記調整手段による調整により制動力を元に戻すことができる。しかも、前記のように制動距離を十分にとりながら、引き戸を制動停止位置から逆向きに軽く移動させることができる。
【００３１】
なお、請求項２に記載の構成によれば、長尺の制動体を備えた基盤を、ローラーユニットを介して吊り引き戸を吊り下げるガイドレール内に簡単容易に取り付けることができる。また、請求項３に記載の構成によれば、長尺の制動体の引き戸移動方向の前後２箇所をガイド手段のカム溝とピンとで吊り下げ状に支持させながら、当該長尺の制動体の下側に引き戸側の被制動部が進入移動するとき、制動体の全長域にわたって引き戸側の被制動部を一定押圧力で確実に下向きに押圧して制動させることができ、良好な制動効果が期待できる。
【００３２】
さらに、請求項４に記載の構成によれば、ストッパーの位置を引き戸移動方向前後に移動させて制動体の下側制動面の初期高さを変更するための調整手段が極めて簡単な構成となり、安価に実施することができる。勿論、請求項５に記載のねじ式の調整手段や、請求項６に記載のカム式調整手段を採用することにより、簡単な操作で微妙な調整を可能ならしめることもできる。
【００３３】
また、請求項７に記載の構成によれば、引き戸側の被制動部を、ブレーキシューとして好適な材質の部材から構成して、これをトロリー本体上に簡単に装着することができ、磨耗などに対し必要に応じて容易に交換することも可能である。
【図面の簡単な説明】
【図１】  引き戸を閉動限位置に制動停止させた状態の縦断側面図である。
【図２】  引き戸を閉動限位置から開動させるときの状態を示す縦断側面図である。
【図３】  引き戸がブレーキ装置の手前にあるときの状態での縦断背面図である。
【図４】  ガイドレールに対する基盤の取り付け位置での縦断面図である。
【図５】  基盤に対する制動体の支持位置での縦断面図である。
【図６】  スプリング内装位置での縦断面図である。
【図７】  ストッパー位置での縦断面図である。
【図８】  調整手段位置での縦断面図である。
【図９】  吊り下げ用ローラーユニットのトロリー本体と被制動部を構成する帯状体とを示す側面図である。
【図１０】  ブレーキ装置の分解一部縦断側面図である。
【図１１】  ブレーキ装置の分解一部横断底面図、平面図、及び側面図である。
【図１２】  ねじ式調整手段を使用した実施形態の要部の平面図である。
【図１３】  同要部の縦断側面図である。
【図１４】  同要部の底面図である。
【図１５】  カム式調整手段を使用した実施形態の要部の平面図である。
【図１６】  同要部の縦断側面図である。
【図１７】  同要部の底面図である。
【符号の説明】
１    吊り引き戸
２    吊り下げ用ローラーユニット
３    ガイドレール
４    水平軸ローラー
５ａ，５ｂ    ガイドレールの水平レール部
６    ガイドレールの上壁部
７ａ，７ｂ    ガイドレールの係合片
８    基盤
９    制動体
１０    スプリング
１１    ストッパー
１２    調整手段
１３    ガイド手段
１４    吊り下げ用ローラーユニットの被制動部
１５ａ，１５ｂ  基盤の被係合部
１８    板ナット
２０    締結用ビス
２１    鋸刃状カム面
２２    鋸刃状カム従動面
２３    ピン
２４ａ，２４ｂ    カム溝
２５    可動部材
２６    長孔
２７    締結用ビス
２９    トロリー本体
３０ａ，３０ｂ    被嵌合凹部
３１ａ，３１ｂ    嵌合用突部
３２    合成樹脂製帯状体（被制動部）
４０    ねじ式調整手段
４１    螺軸
４２    直角伝動用歯車兼用の雌ねじ体
４３    回転操作手段
５０    カム式調整手段
５１    回転操作具
５２    偏心カム
５３    カム溝
【図１】
0003987658.tif 000002
【図２】
0003987658.tif 000003
【図３】
0003987658.tif 000004
【図４】
0003987658.tif 000005
【図５】
0003987658.tif 000006
【図６】
0003987658.tif 000007
【図７】
0003987658.tif 000008
【図８】
0003987658.tif 000009
【図９】
0003987658.tif 000010
【図１０】
0003987658.tif 000011
【図１１】
0003987658.tif 000012
【図１２】
0003987658.tif 000013
【図１３】
0003987658.tif 000014
【図１４】
0003987658.tif 000015
【図１５】
0003987658.tif 000016
【図１６】
0003987658.tif 000017
【図１７】
0003987658.tif 000018